(57)【要約】【課題】断熱材にシロアリが侵入することを効果的に防ぐことができ、しかも施工工程が簡単な、建物の基礎構造及び建物の基礎工法を提供する。【解決手段】建物の基礎構造１は、上面が地面よりも所定程度高く形成される基礎スラブ２と該基礎スラブ２の屋外側に上面が当該基礎スラブ２と同じ高さに設置される張出部３との間に基礎中断熱材４が配設され、前記基礎スラブ２の外周縁上に外周立上がり部８を設けるとともに、前記基礎中断熱材４の上に前記外周立上がり部８の外周側面に固定される立上がり部用断熱材７を設けた建物の基礎構造１であって、前記基礎スラブ２と前記張出部３とは前記基礎中断熱材４の下方において連通しており、コンクリートを一体的に打設養生することで、当該基礎スラブ２及び当該張出部３を一体形成した。【選択図】図２
2010150860.tif 000002
【特許請求の範囲】
【請求項１】
上面が地面よりも所定程度高く形成される基礎スラブと該基礎スラブの屋外側に上面が当該基礎スラブと同じ高さに設置される張出部との間に基礎中断熱材が配設され、
前記基礎スラブの外周縁上に外周立上がり部を設けるとともに、前記基礎中断熱材の上に前記外周立上がり部の外周側面に固定される立上がり部用断熱材を設けた建物の基礎構造であって、
前記基礎スラブと前記張出部とを形成する空間は前記基礎中断熱材の下方において連通しており、コンクリートを一体的に打設養生することで、当該基礎スラブ及び当該張出部を一体形成したことを特徴とする建物の基礎構造。
【請求項２】
基礎スラブと該基礎スラブの屋外側に上面が当該基礎スラブと同じ高さに設置される張出部との間に基礎中断熱材が配設される建物の基礎構造であって、
前記基礎スラブと前記張出部とを形成する空間は前記基礎中断熱材の下方において連通しており、コンクリートを一体的に打設養生することで、当該基礎スラブ及び当該張出部を一体形成したことを特徴とする建物の基礎構造。
【請求項３】
前記基礎中断熱材が前記張出部の屋外側に設けられた外型枠に固定されるセパレータにより所定間隔浮かせて支持された状態で、前記基礎スラブ及び前記張出部にコンクリートを打設養生することにより固定されたものであることを特徴とする請求項１又は請求項２に記載の建物の基礎構造。
【請求項４】
前記張出部に鉄筋が埋め込まれていることを特徴とする請求項１から請求項３のいずれかに記載の建物の基礎構造。
【請求項５】
前記基礎中断熱材は、その上端が前記基礎スラブ及び前記張出部の上面よりも高く配置されること特徴とする請求項１から請求項４のいずれかに記載の建物の基礎構造。
【請求項６】
前記張出部の上面に屋外側に向かって下降する勾配部が形成されたことを特徴とする請求項１から請求項５のいずれかに記載の建物の基礎構造。
【請求項７】
前記張出部の上端部に、屋外側に向かって突出するコンクリート構造体が一体形成されていることを特徴とする請求項１から請求項６のいずれかに記載の建物の基礎構造。
【請求項８】
前記コンクリート構造体に鉄筋が埋め込まれていることを特徴とする請求項７に記載の建物の基礎構造。
【請求項９】
基礎を形成する所定の外周位置に外型枠を設置し、次いで、当該外型枠に一端が支持されるセパレータをその他端が屋内側を向くように前記外型枠に沿って複数設置し、その後、前記外型枠から屋内方向に所定間隔を開けるとともに下端を所定間隔浮かせて配置した基礎中断熱材を、前記セパレータの他端に取り付け、
その後、前記基礎中断熱材の屋内側と当該基礎中断熱材の屋外側とを前記基礎中断熱材の下方において連通させた状態でコンクリートを打設養生することで、前記基礎中断熱材の屋内側に形成される基礎スラブと、前記基礎中断熱材と前記外型枠との間に形成される張出部と、を一体形成し、
その後、前記基礎スラブの上に外周縁から所定の距離を開けて屋内側立上がり部用型枠を設けるとともに、張出部の上に屋外側立上がり部用型枠を設け、前記基礎中断熱材の上に立上がり部用断熱材を設置して屋外側立上がり部用型枠に固定し、その後、コンクリートを打設養生することにより外周立上がり部を形成することを特徴とする建物の基礎工法。
【請求項１０】
基礎を形成する所定の外周位置に外型枠を設置し、次いで、当該外型枠に一端が支持されるセパレータをその他端が屋内側を向くように前記外型枠に沿って複数設置し、その後、前記外型枠から屋内方向に所定間隔を開けるとともに下端を所定間隔浮かせて配置した基礎中断熱材を、前記セパレータの他端に取り付け、
その後、前記基礎中断熱材の屋内側と当該基礎中断熱材の屋外側とを前記基礎中断熱材の下方において連通させた状態でコンクリートを打設養生することで、前記基礎中断熱材の屋内側に形成される基礎スラブと、前記基礎中断熱材と前記外型枠との間に形成される張出部と、を一体形成することを特徴とする建物の基礎工法。
【請求項１１】
前記外型枠は、その上端が前記基礎スラブの上面となる位置よりも所定高さ低くなるように設置し、その後、前記外型枠の屋外側を当該外型枠の上端と同じ高さまで埋め戻した後で、
前記基礎スラブと、前記張出部と、当該張出部の上端部に屋外側に向かって突出するコンクリート構造体と、を一体的に打設することを特徴とする請求項９又は請求項１０に記載の建物の基礎工法。
【請求項１２】
前記基礎中断熱材の上端を前記外型枠よりもやや高く設置されることを特徴とする請求項９から請求項１１のいずれかに記載の建物の基礎工法。
【請求項１３】
前記基礎中断熱材を前記セパレータの他端に取り付けた後であって、前記コンクリートを打設して前記基礎スラブと前記張出部とを形成する前に、一端が前記セパレータに固定されるとともに、他端が前記基礎の下に形成される捨てコンクリートに固定される針金を設置することを特徴とする請求項９から請求項１２のいずれかに記載の建物の基礎工法。
【発明の詳細な説明】
【技術分野】
【０００１】
本発明は、防蟻性に優れた建物の基礎構造及び建物の基礎工法に関する。
【背景技術】
【０００２】
従来より住宅の仕様として高気密・高断熱のものが普及しており、建築物を断熱することが多い。このような建築物の断熱工法としては、外断熱工法と内断熱工法とがあるが、断熱きれを起こしにくく、施工が容易であり、断熱材の室内側に位置する建築物の構造躯体の耐久性を高めることができるなどの点で外断熱工法が有利である。
【０００３】
ところで、このような外断熱構造を用いた場合、土中からのシロアリが基礎外面に取り付けた断熱材に侵入し、その断熱材を食い破りながら蟻道を形成して基礎外面を這い上がり、基礎の上方に設けた土台や柱等の躯体構造物にまで侵入してしまう。その場合、シロアリの被害の発見が著しく遅れ、気付いたときには甚大な被害となっているという問題がある。
【０００４】
そこで、外断熱構造において断熱材中にシロアリが侵入することを防ぐために、断熱材の外側面を覆って防蟻シートを貼り付けるとともに、この防蟻シートの下端縁を布基礎に密着させた発明（特許文献１参照）や防蟻性能を有する部材を、基礎の外周に設けられた発泡プラスチック断熱材の地上部分の厚み方向の全体にわたって覆うとともに、基礎の上面もしくは外周面に当接して設けた発明（特許文献２参照）が提案されている。また、この特許文献２では、この防蟻性能を有する部材として例えばコンクリートブロックで断熱材の外側を覆う点も提案されている。
【０００５】
【特許文献１】特開平１１−３５０５０２
【特許文献２】特開２０００−１７７４７
【発明の開示】
【発明が解決しようとする課題】
【０００６】
しかし、上述のように断熱材の屋外側面に沿って防蟻シートを貼り付ける場合、作業工程が複雑なものとなりやすく、作業者によって防蟻性能に差がでやすい。さらに特別な防蟻シートを用いるので、高いコストがかかる。また、コンクリートブロックで断熱材の屋外側面を覆う場合、まずコンクリートを打設して基礎を形成して養生し、断熱材を貼り付けた後、さらにコンクリートを打設してコンクリートブロックを形成するので、コンクリートの養生に余計な時間がかかり、作業コストが増大する。さらに、基礎とコンクリートブロックとの間に打ち継ぎが発生するので、この打ち継ぎの間からシロアリが侵入する虞があった。
【０００７】
そこで、本発明は、断熱材にシロアリが侵入することを効果的に防ぐことができ、しかも施工工程が簡単な、建物の基礎構造及び建物の基礎工法を提供することを目的とする。
【課題を解決するための手段】
【０００８】
上記の目的を達成するために、請求項１に記載の建物の基礎構造は、上面が地面よりも所定程度高く形成される基礎スラブと該基礎スラブの屋外側に上面が当該基礎スラブと同じ高さに設置される張出部との間に基礎中断熱材が配設され、
前記基礎スラブの外周縁上に外周立上がり部を設けるとともに、前記基礎中断熱材の上に前記外周立上がり部の外周側面に固定される立上がり部用断熱材を設けた建物の基礎構造であって、前記基礎スラブと前記張出部とを形成する空間は前記基礎中断熱材の下方において連通しており、コンクリートを一体的に打設養生することで、当該基礎スラブ及び当該張出部を一体形成したことを特徴としている。
【０００９】
請求項２に記載の建物の基礎構造は、基礎スラブと該基礎スラブの屋外側に上面が当該基礎スラブと同じ高さに設置される張出部との間に基礎中断熱材が配設される建物の基礎構造であって、前記基礎スラブと前記張出部とを形成する空間は前記基礎中断熱材の下方において連通しており、コンクリートを一体的に打設養生することで、当該基礎スラブ及び当該張出部を一体形成したことを特徴としている。
【００１０】
請求項３に記載の建物の基礎構造は、前記基礎中断熱材が前記張出部の屋外側に設けられた外型枠に固定されるセパレータにより所定間隔浮かせて支持された状態で、前記基礎スラブ及び前記張出部にコンクリートを打設養生することにより固定されたものであることを特徴としている。
【００１１】
請求項４に記載の建物の基礎構造は、前記張出部に鉄筋が埋め込まれていることを特徴としている。
【００１２】
請求項５に記載の建物の基礎構造は、前記基礎中断熱材は、その上端が前記基礎スラブ及び前記張出部の上面よりも高く配置されることを特徴としている。
【００１３】
請求項６に記載の建物の基礎構造は、前記張出部の上面に屋外側に向かって下降する勾配部が形成されたことを特徴としている。
【００１４】
請求項７に記載の建物の基礎構造は、前記張出部の上端部に、屋外側に向かって突出するコンクリート構造体が一体形成されていることを特徴としている。
【００１５】
請求項８に記載の建物の基礎構造は、前記コンクリート構造体に鉄筋が埋め込まれていることを特徴としている。
【００１６】
請求項９に記載の建物の基礎工法は、基礎を形成する所定の外周位置に外型枠を設置し、次いで、当該外型枠に一端が支持されるセパレータをその他端が屋内側を向くように前記外型枠に沿って複数設置し、その後、前記外型枠から屋内方向に所定間隔を開けるとともに下端を所定間隔浮かせて配置した基礎中断熱材を、前記セパレータの他端に取り付け、その後、前記基礎中断熱材の屋内側と当該基礎中断熱材の屋外側とを前記基礎中断熱材の下方において連通させた状態でコンクリートを打設養生することで、前記基礎中断熱材の屋内側に形成される基礎スラブと、前記基礎中断熱材と前記外型枠との間に形成される張出部と、を一体形成し、その後、前記基礎スラブの上に外周縁から所定の距離を開けて屋内側立上がり部用型枠を設けるとともに、張出部の上に屋外側立上がり部用型枠を設け、前記基礎中断熱材の上に立上がり部用断熱材を設置して屋外側立上がり部用型枠に固定し、その後、コンクリートを打設養生することにより外周立上がり部を形成することを特徴としている。
【００１７】
請求項１０に記載の建物の基礎工法は、基礎を形成する所定の外周位置に外型枠を設置し、次いで、当該外型枠に一端が支持されるセパレータをその他端が屋内側を向くように前記外型枠に沿って複数設置し、その後、前記外型枠から屋内方向に所定間隔を開けるとともに下端を所定間隔浮かせて配置した基礎中断熱材を、前記セパレータの他端に取り付け、その後、前記基礎中断熱材の屋内側と当該基礎中断熱材の屋外側とを前記基礎中断熱材の下方において連通させた状態でコンクリートを打設養生することで、前記基礎中断熱材の屋内側に形成される基礎スラブと、前記基礎中断熱材と前記外型枠との間に形成される張出部と、を一体形成することを特徴としている。
【００１８】
請求項１１に記載の建物の基礎工法は、前記外型枠は、その上端が前記基礎スラブの上面となる位置よりも所定高さ低くなるように設置し、その後、前記外型枠の屋外側を当該外型枠の上端と同じ高さまで埋め戻した後で、前記基礎スラブと、前記張出部と、当該張出部の上端部に屋外側に向かって突出するコンクリート構造体と、を一体的に打設することを特徴としている。
【００１９】
請求項１２に記載の建物の基礎工法は、前記基礎中断熱材の上端を前記外型枠よりもやや高く設置することを特徴としている。
【００２０】
請求項１３に記載の建物の基礎工法は、前記基礎中断熱材を前記セパレータの他端に取り付けた後であって、前記コンクリートを打設して前記基礎スラブと前記張出部とを形成する前に、一端が前記セパレータに固定されるとともに、他端が前記基礎の下に形成される捨てコンクリートに固定される針金を設置することを特徴としている。
【発明の効果】
【００２１】
請求項１に記載の建物の基礎構造によると、基礎中断熱材の屋外側にコンクリートを打設養生して形成される張出部が設けられており、シロアリはコンクリートを通過することはできないので、優れた防蟻性を発揮することができる。さらに、基礎スラブと張出部とを形成する空間は基礎中断熱材の下方で連通しており、コンクリートを一体的に打設養生することで、当該基礎スラブ及び当該張出部を一体形成しているので、基礎スラブと張出部との間に打ち継ぎが発生せず、シロアリが通過可能な間隙ができることが無いので、より確実にシロアリが断熱材に到達することを抑制できる。しかも、１回の打設作業で基礎スラブと張出部とを同時に形成することができるので作業性に優れ、養生時間も短縮できる。
【００２２】
請求項２に記載の建物の基礎構造によると、請求項１と同様に、基礎スラブと基礎中断熱材の下方において連通する張出部とを備えているので、基礎スラブと張出部との間に打ち継ぎが発生せず、シロアリが通過可能な間隙ができることが無いので、より確実にシロアリが断熱材に到達することを抑制できる。しかも、１回の打設作業で基礎スラブと張出部とを同時に形成することができるので作業性に優れ、養生時間も短縮できる。そして、この構造は、基礎スラブの上に外周立上がり部を設けない基礎構造にも適用することができる。
【００２３】
請求項３に記載の建物の基礎構造によると、外型枠に固定されるセパレータを用いることにより、基礎中断熱材を外型枠から所定距離を開けた状態で浮かせて支持することができ、これにより基礎スラブと張出部とを一体形成することができる。
【００２４】
請求項４に記載の建物の基礎構造によると、張出部に鉄筋が埋め込まれているので、基礎スラブのみならず張出部の耐久性を高めることができ、ひび割れ発生を抑制する効果があるので、経年により外観が劣化することを防止できるとともに、シロアリの侵入をより効果的に阻止できる。
【００２５】
請求項５に記載の建物の基礎構造によると、基礎中断熱材の上端が基礎スラブ及び張出部の上面よりも高く配置されるので、外周立上がり部を設ける際に、適切な位置に立上がり部用の型枠を設置することができる。また、コンクリートを打設する際に基礎スラブ及び張出部に打設されたコンクリートが溢れて、基礎中断熱材の上端にコンクリートが付着することを抑制できるので、この基礎中断熱材の上に立上がり部用断熱材を隙間なく設置することができ、より断熱性を高めることができる。
【００２６】
請求項６に記載の建物の基礎構造によると、前記張出部の上面に屋外側に向かって下降する勾配が設けられることで、張出部から屋内側に雨水が侵入することを防ぐことができる。
【００２７】
請求項７に記載の建物の基礎構造によると、前記張出部の上端部から屋外側に向かって突出するコンクリート構造体が一体形成されているので、建物の基礎構造の周囲に他の隣接構造体をそれぞれ打設し養生する場合に比べて、施工時間を短縮することができるとともに、張出部とコンクリート構造体との間に打ち継ぎが発生せず、シロアリが通過可能な間隙ができることが無いので、より確実にシロアリが断熱材に到達することを抑制できる。なお、ここでコンクリート構造体として、建物の犬走り部や玄関ポーチを例示することができるが、これに限定されるものではなく、建物の基礎構造に屋外側に形成される種々のコンクリート構造体に適用することができる。
【００２８】
請求項８に記載の建物の基礎構造によると、コンクリート構造体に鉄筋が埋め込まれているので、コンクリート構造体の耐久性を高めることができ、ひび割れ発生を抑制する効果があるので、経年により外観が劣化することを防止できるとともに、シロアリの侵入をより効果的に阻止できる。
【００２９】
請求項９に記載の建物の基礎工法によると、外型枠に一端が支持されるセパレータをその他端が屋内側を向くように設置して、このセパレータの他端に、外型枠から屋内方向に所定間隔を開け、且つ下端を所定間隔浮かせるように基礎中断熱材を配置し、基礎中断熱材の屋内側と基礎中断熱材の屋外側とを基礎中断熱材の下方において連通させた状態でコンクリートを打設養生するので、基礎スラブと張出部とを一回の打設作業で形成することができ、型枠の設置作業やコンクリートの打設作業などの作業時間及び養生時間を短縮することができる。そして、基礎スラブと張出部とを一体形成することになるので、コンクリートの打ち継ぎができることがなく、シロアリが打ち継ぎの間隙を通過する虞も無く、シロアリが板状防蟻材に到達することを確実に防止できる。
【００３０】
請求項１０に記載の建物の基礎工法によると、外型枠に一端が支持されるセパレータをその他端が屋内側を向くように設置して、このセパレータの他端に、外型枠から屋内方向に所定間隔を開け、且つ下端を所定間隔浮かせるように基礎中断熱材を配置し、基礎中断熱材の屋内側と基礎中断熱材の屋外側とを基礎中断熱材の下方において連通させた状態でコンクリートを打設養生するので、外周立上がり部を設けない建物の基礎工法においても、基礎スラブと張出部とを一回の打設作業で形成することができ、型枠の設置作業やコンクリートの打設作業などの作業時間及び養生時間を短縮することができる。そして、基礎スラブと張出部とを一体形成することになるので、コンクリートの打ち継ぎができることがなく、シロアリが打ち継ぎの間隙を通過する虞も無く、シロアリが板状防蟻材に到達することを確実に防止できる。
【００３１】
請求項１１に記載の建物の基礎工法によると、コンクリート構造体と、基礎スラブ及び張出部と、が一体的に打設されるので、コンクリート構造体と張出部との間、及び基礎スラブと張出部との間にコンクリートの打ち継ぎが発生せず、シロアリが通過できる間隙が生じることが無いので、より確実にシロアリが断熱材に到達することを抑制できる。しかも、１回の打設作業で例えば犬走りや玄関ポーチ等のコンクリート構造体を基礎スラブ及び張出部と同時に形成することができるので、作業性に優れ、養生時間も短縮できる。
【００３２】
請求項１２に記載の建物の基礎工法によると、基礎中断熱材の上端が外型枠よりもやや高く設置されるので、コンクリートを打設して基礎スラブ及び張出部を形成した時に、この基礎スラブ及び張出部から基礎中断熱材の上端がやや突出した状態となる。したがって、この基礎中断熱材の上端がガイドとなるので、屋外側立上がり部用型枠を適切な位置に設置しやすく、また、基礎中断熱材の上に立上がり部用断熱材を設置しやすくなり、より容易に施工できる。そして、外周立上がり部を打設したときに発生するコンクリートノロを、基礎中断熱材の上端が堰き止めるので、コンクリートノロが外周立上がり部の下端から屋外側に漏れることを阻止できる。
【００３３】
請求項１３に記載の建物の基礎工法によると、一端がセパレータに固定されるとともに、他端が捨てコンクリートに固定される針金が設置されるので、特に基礎が深い場合のように基礎中断熱材に基礎スラブ及び張出部のコンクリートを打設する際に大きな浮力がかかる場合にも、基礎中断熱材を浮き上がらせることなくコンクリートを打設することができる。
【発明を実施するための最良の形態】
【００３４】
以下において、本発明の建物の基礎構造１及び基礎工法の第１の実施形態について、図１から図１３を参照しつつ説明する。本実施形態における建物の基礎構造１は、図１に示すように、その上面が地面ＧＬよりも所定程度高くなるように基礎スラブ２が形成され、この基礎スラブ２の屋外側に上面が基礎スラブ２と同じ高さに張出部３が形成されており、これら基礎スラブ２と張出部３との間には基礎中断熱材４が設置されている。なお、この基礎スラブ２及び張出部３の上面の高さは、具体的には例えば地面ＧＬから５ｃｍ以上であることが好ましく、より好ましくは１０ｃｍ以上であることが望ましい。シロアリは、その習性から外気に露出しない地中や建材の隙間などに蟻道を作って移動するものであり、地面から少なくとも５ｃｍほどの高さまで、より好ましくは１０ｃｍほど高さまでを隙間なくコンクリートで覆うことで、シロアリが基礎中断熱材４に到達する蟻道を作ることを阻止でき、シロアリが基礎中断熱材４に到達することを防止できる。
【００３５】
張出部３は、防蟻性能及び耐久性の観点からその幅が５ｃｍ以上であることが好ましく、施工の際に基礎中断熱材４を容易に支持するために、幅１５ｃｍ以下であることが好ましい。また、張出部３は無筋とすることもできるが、より耐久性を高めるために例えば径が４ｍｍ以上のワイヤメッシュや径１０ｍｍ以上の異形鉄筋を配筋することが好ましい。
【００３６】
基礎中断熱材４は、例えば合成樹脂発泡体から構成され、その下端が基礎スラブ２及び張出部３が設置される捨てコンクリート６から１０〜１５ｃｍ間を開けて上方に設けられており、基礎スラブ２及び張出部３はこの基礎中断熱材４と捨てコンクリート６との間において連通し、一体的にコンクリートを打設して形成されている。したがって、基礎中断熱材４はその屋内側面、屋外側面及び下端面がいずれもコンクリートに覆われており、しかもそのコンクリートで形成された基礎スラブ２及び張出部３は打ち継ぎなく一体形成されているので、シロアリが基礎中断熱材４に到達できる経路がない構造となっている。
【００３７】
また基礎中断熱材４は、その上端が基礎スラブ２及び張出部３の上面と面一であるか、又は基礎スラブ２及び張出部３の上面よりもやや上に形成されている。これにより、基礎スラブ２及び張出部３を打設したときに基礎中断熱材４の上端は外部に露出するように構成されている。したがって基礎中断熱材４の上に立上がり部用断熱材７を間を開けずに設置することができ断熱性を高めることができる。なお、基礎中断熱材４の上面は基礎スラブ２及び張出部３の上面よりもやや上に形成されているほうが特に好ましい。この場合は、基礎スラブ２及び張出部３を打設する際にコンクリートが基礎中断熱材４の上面に付着することを抑制でき、より確実に基礎中断熱材４の上に立上がり部用断熱材７を間を開けずに設置することができる。また、このように基礎中断熱材４の上面は基礎スラブ２及び張出部３の上面よりもやや上に形成されていることで、外周立上がり部８を打設する際にコンクリートノロを堰き止めることができ、外周立上がり部８の下端の屋外側にコンクリートノロが漏れ出すことを防ぐことができる。なお、基礎スラブ２及び張出部３を打設する前に、コンクリートの付着を防止するために基礎中断熱材４の上面に養生テープを被覆することがより好ましい。
【００３８】
外周立上がり部８は、基礎スラブ２の外周縁に沿ってその上面にコンクリートを打設して設置される。そして、この外周立上がり部８の屋外側には例えば合成樹脂発泡体から構成された板状の立上がり部用断熱材７が基礎中断熱材４の上端に隙間なく載置されるように取付けられている。立上がり部用断熱材７の屋外側面及び基礎中断熱材４上端の外部に露出している部分の屋外側面には、例えば雨水等が断熱材４、７の内部に侵入することを防止し、例えば合成樹脂発泡体で形成された断熱材４、７の日射による表層の劣化を防止する仕上材としてモルタル１０が塗布されている。なお、このモルタル１０がひび割れを起こすことを防止し、より一層断熱材４、７内部に雨水等が侵入することを防ぐために、このモルタル１０の中に例えば耐アルカリ性ガラス繊維ネット等の補強材を埋設することがより好ましい。
【００３９】
張出部３の上面であって、モルタル１０の屋外側に、屋内側から屋外側に向かって下方に傾斜する勾配部１１がコンクリート又はモルタル等により形成されていることが好ましい。このように構成することで、例えば図示しない外壁からモルタル１０を伝って流下した雨水等がこの勾配部１１の上面に形成された傾斜により屋外側に排出されることとなり、屋内側に設置された断熱材４、７に侵入することをより効果的に防止できる。
【００４０】
基礎スラブ２及び外周立上がり部８の内部には図２に示すように、適切なかぶり厚を確保できる位置に鉄筋１２が配筋されており、コンクリートを補強している。なお、例えば図３に示すように、適切なかぶり厚を確保できるのであれば、張出部３及び基礎中断熱材４の下方の張出部３と基礎スラブ２との連通箇所１３にも鉄筋１２を配筋することがより好ましい。基礎中断熱材４の屋外側に設置される張出部３及び連通箇所１３を補強することでひび割れを防止し、より確実にシロアリの侵入を抑制できる。
【００４１】
以上のように構成される建物の基礎構造１を造成する建物の基礎工法は、図示しないが、例えばくい打ちや地盤改良など地盤の補強を行ったうえで、図４に示すように、まず建物の基礎構造を設置する位置を所定深度まで掘り下げ、割栗石１４を設置して、捨てコンクリート６を打設する。そして、外型枠５を建物の基礎構造１の外周となる位置に設置するとともに、所定位置に鉄筋１２を配筋する。
【００４２】
次に、図５に示すように外型枠５の中間位置を例えば丸型セパレータなどのセパレータ１５で貫通し、このセパレータ１５の一端側を屋外側から上下の単管１６で挟持しつつフォームタイ１７で固定し、屋内側からプラスチックコーン１８で固定する。これによりセパレータ１５は、他端側を屋内側に向けた状態で外型枠５に支持される。そして、基礎中断熱材４の中間部をセパレータ１５の他端側で貫通した状態で、基礎中断熱材４の両側から幅広の断熱材用コーン１９で挟持して固定する。このとき、基礎中断熱材４の下端は、捨てコンクリートから上方に１０〜１５ｃｍ程度開けた状態に保持し、また外型枠５から屋内側に５〜１５ｃｍ程度開けた状態に保持する。
【００４３】
そして、図６に示すように、コンクリートを打設して基礎スラブ２と張出部３とを一体形成する。すなわち、コンクリートを基礎中断熱材４の屋内側に注入すると、基礎中断熱材４はセパレータ１５に支持されて、上方に１０〜１５ｃｍ程度浮いているので、この基礎中断熱材４と捨てコンクリート６との間を通って、コンクリートが基礎中断熱材４の屋外側にも流入し、基礎スラブ２と張出部３とを一体形成することができる。このとき、基礎中断熱材４の上端は、基礎スラブ２及び張出部３の上面よりもやや上方に配置され、外部に露出している。なお、コンクリートを基礎中断熱材４の屋内側に注入するとともに、又はコンクリートを基礎中断熱材４の屋内側に注入することに替えて、コンクリートを基礎中断熱材４と外型枠５との間にコンクリートを注入してもよい。
【００４４】
そして次に、所定期間養生して、基礎スラブ２及び張出部３を固めた後、図７に示すように、フォームタイ１５、単管１６及び外型枠５を取り外し、図８に示すように、屋外側立上がり部用型枠２０と屋内側立上がり部用型枠２１とを互いに所定間隔を保って平行に設置する。屋外側立上がり部用型枠２０は、張出部３の上に、基礎中断熱材４の上端に当接するように設置される。このように基礎中断熱材４をガイドにして設置するので、屋外側立上がり部用型枠２０を極めて容易に適切な位置に設置することができる。そして、この屋外側立上がり部用型枠２０に立上がり部用断熱材７を取付けて、これら屋外側立上がり部用型枠２０及び立上がり部用断熱材７の中間位置をセパレータ１５で貫通する。そして、このセパレータ１５の一端側を屋外側から上下の単管１６で挟持しつつフォームタイ１７で固定するとともに他端側から外挿した断熱材用コーン１９で固定する。そして、この立上がり部用型枠２０から所定距離を開けて屋内側に屋内側立上がり部用型枠２１をセパレータ１５に貫通されつつ設置し、その屋内側からセパレータ１５を上下の単管１６で挟持しつつフォームタイ１７で固定する。なお、立上がり部用断熱材７を型枠兼用として使用することもでき、このようにすると屋外側立上がり部用型枠２０を不要とすることができる。
【００４５】
そして、図９に示すように、立上がり部用断熱材７と屋内側立上がり部用型枠２１との間にコンクリートを打設して、外周立上がり部８を形成する。このとき、外周立上がり部８の屋外側の下端には、基礎中断熱材４がやや上方に突出して配置されているので、外周立上がり部８のコンクリートノロがこの基礎中断熱材４によって堰き止められて、屋外側に流出することを防ぐことができる。その後、コンクリートを所定期間養生して、図１０に示すように、屋外側と屋内側とのそれぞれに設置されたフォームタイ１５、単管１６を取り外し、屋外側立上がり部用型枠２０及び屋内側立上がり部用型枠２１も取り外す。
【００４６】
そして、図１１に示すように、立上がり部用断熱材７及び基礎中断熱材４の上端側の屋外側に露出している面に仕上材としてのモルタル１０を塗布し、雨水等が断熱材４、７に侵入することを抑止する。そして、張出部３の上面であって、モルタル１０の屋外側にコンクリートで屋外側に向けて下方に傾斜する勾配部１１を形成し、その後、図２に示すように、張出部３の屋外側を埋め戻して、建物の基礎構造１を完成する。
【００４７】
以上のように、第１の実施形態の建物の基礎構造１及び建物の基礎工法を用いると、シロアリが基礎中断熱材４に侵入することを極めて有効に防止することができ、しかもコンクリートの打設作業や型枠の設置作業が簡単であり、養生時間も短縮できる。
【００４８】
なお、この実施形態においては、基礎中断熱材４を支持するセパレータ１５は上下方向には１本づつ設置されるものであったが、より深い建物の基礎構造１である場合には、例えば図１２に示すように、上下方向に２本以上のセパレータ１５で基礎中断熱材４を支持することが好ましい。建物の基礎構造１が深い場合は例えば図１３に示すように、コンクリートを打設する際に基礎中断熱材４にかかる浮力も大きくなるが、このように、２本のセパレータ１５で保持することで、基礎中断熱材４が浮き上がり施工不良となることを防止できる。なお、このセパレータ１５の本数は建物の基礎構造１の深さや支持する基礎中断熱材４の位置によって３本以上とすることもできる。なお、外周立上がり部８を打設する際に用いられるセパレータ１５についても、外周立上がり部８の高さが高い場合には２本以上設けることができる。
【００４９】
また、図１２に示すように、セパレータ１５に針金２２の一端を固定し、この針金２２の他端を捨てコンクリート６に固定された釘２３に固定すれば、コンクリートの打設により基礎中断熱材４にかかる浮力をセパレータ１５を介して針金２２で受けることができるので、基礎中断熱材４の浮き上がりを防止することができる利点がある。
【００５０】
なお、この第１の実施形態の建物の基礎構造１及び建物の基礎工法は、建物の基礎構造１の防蟻性能を発現できる他の様々な技術を組み合わせることができるものであり、必要に応じて物理的に又は化学的にシロアリの侵入を阻害する構成と組み合わせてもよい。
【００５１】
また、この第１の実施形態においては、基礎スラブ２の上に外周立上がり部８を設ける構成としたが、設計上外周立上がり部８が必要ない場合は、例えば図１４及び図１５に示すように、基礎スラブ２の上にそのまま建物の躯体を設置する構成としてもよい。この場合、基礎スラブ２及び張出部３の上面は、地面ＧＬよりも例えば１０ｃｍほど高いことが防蟻上好ましいが、例えば建物に地下室などを設置する場合には、基礎スラブ２及び張出部３の上面が地上よりも低く配置され、これら基礎スラブ２及び張出部３と、この基礎スラブ２及び張出部３の上に配置された図示しない地下室の壁と、の間に必要に応じて物理的に又は化学的にシロアリの侵入を阻害する構成を設けるものであってもよい。
【００５２】
また、この第１の実施形態においては、例えば図５に示すように、地面ＧＬを所定深度まで掘り下げた後に、やや空間を開けて垂直に外型枠５を設置しているが、これに限定されるものではなく、例えば図１６に示すように、地面ＧＬを掘り下げて形成した壁に外型枠５が沿うように上方に向かって外型枠５の下部分５ａが広がるように配置されており、外型枠５の地面ＧＬから突出する部分５ｂが垂直に設置されるものであってもよい。そしてこの場合においても、セパレータ１５の一端を外型枠５に固定し、セパレータの他端に基礎中断熱材４を固定する。このとき図１６に示しているように、外型枠５と基礎中断熱材４との間の距離をやや長く形成することもでき、このように構成した外型枠５内にコンクリートを注入することで、図１７に示すように張出部３を大きく形成することができる。このように張出部３の形状を大きくとることで、張出部３をシロアリからのバリアとしてのみならず、建物の犬走りや玄関ポーチとしても用いることができる。
【００５３】
次に本発明の建物の基礎構造１及び建物の基礎工法の第２の実施形態について、図１８から図２１を参照しつつ説明する。なお、第１の実施形態と同様の構成については同じ符号を付して説明を省略する。この第２の実施形態の建物の基礎構造１は、図１８に示すように、張出部３の上端部に屋外側に向かって突出するコンクリート構造体２４がこの張出部３と一体的に形成されている。ここでコンクリート構造体２４としては、建物の基礎の屋外側に設けられる犬走りや玄関ポーチを例示することができるが、これに限らず、建物の基礎の屋外側に設けられる様々なコンクリート構造体に適用することができる。
【００５４】
この第２の実施形態の建物の基礎構造１を施工する建物の基礎工法は、例えばくい打ちや地盤改良などを地盤の補強を行ったうえで、図１９に示すように、まず、建物の基礎構造を設置する位置を所定深度まで掘り下げ、割栗石１４を設置して、捨てコンクリート６を打設する。そして、その上端が地面ＧＬよりもやや低くなるように外型枠５を設置するとともに、所定位置に鉄筋１２を配筋する。なお、鉄筋１２の配置は、図１８に示すように、基礎スラブ２及び外周立上がり部８にのみ配筋されるものであってもよいが、張出部３及びコンクリート構造体２４にも配筋されることがより好ましい。
【００５５】
そして次に、外型枠５のやや上端寄りに例えば丸型セパレータなどのセパレータ１５で貫通し、このセパレータ１５の一端側を屋外側から上下の単管１６で挟持しつつフォームタイ１７で固定し、屋内側からプラスチックコーン１８で固定する。これによりセパレータ１５は、他端側を屋内側に向けた状態で外型枠５に支持される。そして、基礎中断熱材４のやや下端よりの部分をセパレータ１５の他端側で貫通した状態で、基礎中断熱材４の両側から幅広の断熱材用コーン１９で挟持して固定する。このとき、基礎中断熱材４の下端は、捨てコンクリートから上方に１０〜１５ｃｍ程度開けた状態に保持し、また外型枠５から屋内側に５〜１５ｃｍ程度開けた状態に保持する。また、この基礎中断熱材４の上端は、少なくとも基礎スラブ２の上面と同じ高さ以上となるように配置され、外型枠５の上端よりも高い位置に配置される。
【００５６】
そして、図２０に示すように、外型枠５の屋外側を当該外型枠５の上端と同じ高さまで埋め戻し、さらにその屋外方向にコンクリート構造体用外型枠２５を設置する。次いで、図２１に示すように、基礎スラブ２、張出部３、及びコンクリート構造体２４をコンクリートを一体的に打設し、養生することにより形成する。すなわち基礎中断熱材４の屋内側から基礎スラブ２を形成する空間にコンクリートを注入し、基礎中断熱材４と捨てコンクリート６の間の空間を通って、張出部３にもコンクリートを流し込むとともに、外型枠５の上端から屋外側にコンクリートを溢れさせるようにして、コンクリート構造体２４を形成する。なお、基礎中断熱材４の屋内側から基礎スラブ２を形成する空間にコンクリートを注入することとともに、又は基礎中断熱材４の屋内側から基礎スラブ２を形成する空間にコンクリートを注入することに替えて、コンクリート構造体２４を形成する空間にコンクリートを注入してもよい。
【００５７】
その後、コンクリート構造体用外型枠２５を取り外す。そして、図１８に示すように、第１の実施形態と同様の工法により外周立上がり部８を形成し、その表面にモルタル１０を塗布するとともに、勾配部１１を形成し建物の基礎構造１を完成する。
【００５８】
以上のように第２の実施形態の建物の基礎構造１及び建物の基礎工法によると、建物の基礎構造１の周囲に他の隣接構造体をそれぞれ打設し養生する場合に比べて、施工時間を短縮することができるとともに、張出部３とコンクリート構造体２４との間に打ち継ぎが発生せず、シロアリが通過可能な間隙ができることが無いので、より確実にシロアリが断熱材に到達することを抑制できる。
【００５９】
なお、本発明の実施の形態は、本実施形態に限ることなく、本発明の思想の範囲を逸脱しない範囲で適宜変更することができることは云うまでもない。
【産業上の利用可能性】
【００６０】
本発明の建物の基礎構造１及び建物の基礎工法は、建物基礎の屋外側に断熱材を配置する構造及び工法において、高い防蟻性を有する建物の基礎構造１および建物の基礎工法として、好適に用いることができる。
【図面の簡単な説明】
【００６１】
【図１】第１の実施形態に係る建物の基礎構造を説明する簡略断面図。
【図２】基礎スラブ、張出部及び外周立上がり部を説明する一部省略拡大断面図。
【図３】張出部にも鉄筋を配筋した状態を説明する一部省略拡大断面図。
【図４】第１の実施形態に係る建物の基礎工法の外型枠および鉄筋を配置した状態を説明する図。
【図５】基礎中断熱材をセパレータに支持させた状態を説明する図。
【図６】コンクリートを打設して、基礎スラブ及び張出部を形成した状態を説明する図。
【図７】外型枠を取り外した状態を説明する図。
【図８】屋外側立上がり部用型枠及び屋内側立上がり部用型枠を設置した状態を説明する図。
【図９】コンクリートを打設して外周立上がり部を形成した状態を説明する図。
【図１０】屋外側立上がり部用型枠及び屋内側立上がり部用型枠を取り外した状態を説明する図。
【図１１】基礎中断熱材の上端部及び立上がり部用断熱材の屋外側にモルタルを塗布し、勾配部を形成した状態を説明する図。
【図１２】第１の実施形態の変形例として建物の基礎構造がより深く形成される場合の構成を説明する図。
【図１３】図１２の変形例において、コンクリートを打設した状態を説明する図。
【図１４】第１の実施形態の別の変形例として、外周立上がり部を設けない構成の建物の基礎構造を説明する簡略断面図。
【図１５】図１４の実施形態の基礎スラブ、及び張出部を説明する一部省略拡大断面図。
【図１６】第１の実施形態の変形例として、地面を掘り下げて形成した壁に沿うように傾斜させて、基礎中断熱材から所定距離を開けて外型枠を設置した建物の基礎工法を説明する簡略断面図。
【図１７】図１６の実施形態において、コンクリートを打設して基礎スラブ及び張出部を形成した状態を説明する簡略断面図。
【図１８】第２の実施形態に係る建物の基礎構造を説明する簡略断面図。
【図１９】第２の実施形態に係る建物の基礎工法を説明する外型枠及び基礎中断熱材を設置した状態を示す図。
【図２０】図１９の状態から外型枠の屋外側を埋土し、コンクリート構造体用外型枠を設置した状態を示す図。
【図２１】基礎スラブ、張出部、コンクリート構造体を一体的に打設養生した状態を説明する図。
【符号の説明】
【００６２】
１    建物の基礎構造
２    基礎スラブ
３    張出部
４    基礎中断熱材
５    外型枠
６    捨てコンクリート
７    立上がり部用断熱材
８    外周立上がり部
１１  勾配部
１２  鉄筋
１５  セパレータ
２０  屋外側立上がり部用型枠
２１  屋内側立上がり部用型枠
２２  針金
２４  コンクリート構造体
【図１】
2010150860.tif 000003
【図２】
2010150860.tif 000004
【図３】
2010150860.tif 000005
【図４】
2010150860.tif 000006
【図５】
2010150860.tif 000007
【図６】
2010150860.tif 000008
【図７】
2010150860.tif 000009
【図８】
2010150860.tif 000010
【図９】
2010150860.tif 000011
【図１０】
2010150860.tif 000012
【図１１】
2010150860.tif 000013
【図１２】
2010150860.tif 000014
【図１３】
2010150860.tif 000015
【図１４】
2010150860.tif 000016
【図１５】
2010150860.tif 000017
【図１６】
2010150860.tif 000018
【図１７】
2010150860.tif 000019
【図１８】
2010150860.tif 000020
【図１９】
2010150860.tif 000021
【図２０】
2010150860.tif 000022
【図２１】
2010150860.tif 000023